(57)【要約】本発明は、燃焼によるゴミの焼却装置ではなく、配合岩石から出る磁場に熱を加えてプラズマの発生および活性を促進させて処理装置内の温度を高温に保ち、中に投入されたゴミを高熱滅却処理する方式のゴミ処理装置に関する。  そして、本発明に係るゴミ処理装置は、直方体からなるゴミ処理機本体が、上部に設けられたゴミ投入口およびシャッターと、側面の底部付近に設けられた加熱物投入用の開口と、周側面に穿設された複数の管挿入孔とを備え、該管挿入孔の全ての孔には、中空のゴミ処理機本体の内部に向けて複数の管が嵌入装着され、かつ、ゴミ処理機本体の側壁の外部にある複数の管の基部およびゴミ処理機本体の底面には、磁場を生じる配合岩石が備えられている。
2007066702.tif 000002
【特許請求の範囲】
【請求項１】
直方体からなるゴミ処理機本体の上部からゴミを投入して、該ゴミを滅却処理するゴミ処理装置において、
前記ゴミ処理機本体は、上部に設けられたゴミ投入口およびシャッターと、側面の底部付近に設けられた加熱物投入用の開口と、周側面に穿設された複数の管挿入孔とを備え、
前記管挿入孔の全ての孔には、中空の前記ゴミ処理機本体の内部に向けて複数の管が嵌入装着され、かつ、
前記ゴミ処理機本体の側壁の外部にある前記複数の管の基部および前記ゴミ処理機本体の底面には、磁場を生じる配合岩石が備えられていることを特徴とするゴミ処理装置。
【請求項２】
前記ゴミ処理機本体の側壁は、その内側に円形の小孔が多数穿設された中板の設けられた２重壁構造であり、かつ、
前記ゴミ処理機本体の底面上には、多数の円形孔の穿設された鉄製の底盤が敷設されている請求の範囲第１項に記載のゴミ処理装置。
【請求項３】
前記複数の管の先端の開口は、管軸方向に対して斜め４５度に切り落して尖った三角形状に形成されている請求の範囲第１項または第２項に記載のゴミ処理装置。
【請求項４】
前記複数の管は、前記ゴミ処理機本体の下半分に嵌入装着されている請求の範囲第１項ないし第３項のいずれかに記載のゴミ処理装置。
【請求項５】
前記複数の管は、３種類の長さの異なる同一径の管からなり、
前記複数の管のうち最も短い長さを有する短管が上段に配設され、
前記複数の管のうち最も長い長さを有する長管が下段に配設され、かつ、
前記複数の管のうち中程度の長さを有する中管が、前記上段と前記下段との間の中段に配設される請求の範囲第１項ないし第４項のいずれかに記載のゴミ処理装置。
【請求項６】
前記長管は、先端の開口が少し下向きに傾斜しており、前記長管の底面には１ｃｍ間隔で３つの孔が穿設されている請求の範囲第５項に記載のゴミ処理装置。
【請求項７】
前記複数の管は、前記ゴミ処理機本体に空気を吸い込ませるように開栓するバルブを前記基部に備えている請求の範囲第１項ないし第６項のいずれかに記載のゴミ処理装置。
【請求項８】
前記複数の管のうち最下段に配される管の基部の先には、空気が通過するように配合岩石が空気通路を囲むように配置されている請求の範囲第１項ないし第７項のいずれかに記載のゴミ処理装置。
【請求項９】
前記配合岩石は、磁鋼鉱石、ネオジューム、トルマリン鉱石、紫蘭鉱石より成る群から選ばれた１種または２種以上である請求の範囲第１項ないし第８項のいずれかに記載のゴミ処理装置。
【発明の詳細な説明】
【技術分野】
【０００１】
本発明は、有機物質を滅却処理するゴミ処理装置に関し、特に処理装置の中にプラズマの活動を起こさせて効率的に有機物質であるゴミ（廃棄物）を滅却処理するための管を処理装置内に装備した構造のゴミ処理装置に関する。
【背景技術】
【０００２】
従来から、ゴミ処理に関しては、燃焼による焼却が主な手段となっていた。しかしながら、焼却による焼却処理方法では残滓の処理に問題が残ると同時に、大量のゴミの燃焼処理にあたっては大規模な焼却施設の建設が必要であったり、大量に廃棄されるゴミの収集ならびに焼却場へのゴミの運搬も多きな問題となっている。ゴミの処理方式およびゴミ処理場や投棄場の問題は、今後の都市行政の最大の課題でもある。
また、焼却による場合は、燃焼と同時が焼煙を生じるので、焼煙対策も講じる必要がある。ゴミの焼却処理から生じる焼煙については、ダイオキシンの発生やオゾン層の破壊等々の問題があり、個人では解決の付かない地球環境汚染という大きな問題が山積する結果を発生するという問題点があった。
さらに、化石燃料等を用いて高温で焼却処理する場合には、多大なランニングコストを要するとともに、多量の燃焼残留灰が発生し、その処理の問題などがあった。
そこで、装置が大規模にならず、家庭でも利用することのできる小型のゴミ処理装置の開発が待たれていた。また、ゴミの滅却方式が焼却によらない方法が模索されており、従来の焼却型の処理装置でない他の滅却方式が採用された装置の開発に期待が寄せられている。
【発明の開示】
【０００３】
上記問題を解決するために、本発明のゴミ処理装置は、燃焼によるゴミの焼却装置ではなく、配合岩石から出る磁場に熱を加えてプラズマの発生および活性を促進させて処理装置内の温度を高温に保ち、中に投入されたゴミを高熱滅却処理する方式のゴミ処理装置を提供することを目的とする。
本発明の上記目的は、直方体からなるゴミ処理機本体の上部からゴミを投入して、該ゴミを滅却処理するゴミ処理装置において、前記ゴミ処理機本体が、上部に設けられたゴミ投入口およびシャッターと、側面の底部付近に設けられた加熱物投入用の開口と、周側面に穿設された複数の管挿入孔とを備え、前記管挿入孔の全ての孔には、中空の前記ゴミ処理機本体の内部に向けて複数の管が嵌入装着され、かつ、前記ゴミ処理機本体の側壁の外部にある前記複数の管の基部および前記ゴミ処理機本体の底面には、磁場を生じる配合岩石が備えられていることにより、達成される。
また、本発明の上記目的は、前記ゴミ処理機本体の側壁が、その内側に円形の小孔が多数穿設された中板の設けられた２重壁構造であり、かつ、前記ゴミ処理機本体の底面上には、多数の円形孔の穿設された鉄製の底盤が敷設されていることにより、効果的に達成される。
また、本発明の上記目的は、前記複数の管の先端の開口が、管軸方向に対して斜め４５度に切り落して尖った三角形状に形成されていることにより、効果的に達成される。
また、本発明の上記目的は、前記複数の管が、前記ゴミ処理機本体の下半分に嵌入装着されていることにより、効果的に達成される。
また、本発明の上記目的は、前記複数の管が、３種類の長さの異なる同一径の管からなり、前記複数の管のうち最も短い長さを有する短管が上段に配設され、前記複数の管のうち最も長い長さを有する長管が下段に配設され、かつ、前記複数の管のうち中程度の長さを有する中管が、前記上段と前記下段との間の中段に配設されることにより、効果的に達成される。
また、本発明の上記目的は、前記長管が、先端の開口が少し下向きに傾斜しており、前記長管の底面には１ｃｍ間隔で３つの孔が穿設されていることにより、効果的に達成される。
また、本発明の上記目的は、前記複数の管が、前記ゴミ処理機本体に空気を吸い込ませるように開栓するバルブを前記基部に備えていることにより、効果的に達成される。
また、本発明の上記目的は、前記複数の管のうち最下段に配される管の基部の先に、空気が通過するように配合岩石が空気通路を囲むように配置されていることにより、効果的に達成される。
さらに、本発明の上記目的は、前記配合岩石が、磁鋼鉱石、ネオジューム、トルマリン鉱石、紫蘭鉱石より成る群から選ばれた１種または２種以上であることにより、効果的に達成される。
上述した本発明に係るゴミ処理装置によれば、以下の［１］〜［６］のような効果を奏する。
［１］装置の構造が簡単であり、故障や修理の手間がかからない利点がある。燃焼によるゴミの焼却方式を採用していない為に、燃焼のさせるための燃料を必要としないので、稼動に経費を極力抑える効果がある。燃焼しないために残滓を処理する必要がない。また、焼煙が生じないのでダイオキシンの発生や地球的規模のオゾン層の破壊の問題を未然に防ぐ効果がある。大規模な装置でないので安価に提供することが出来、家庭用に簡単に庭や空き地に設置して操作することが可能である。
［２］複数の管が直方体からなるゴミ処理機本体の下半分に嵌入装着されているので、ゴミ処理装置に投入されたゴミは最後まできれいに処理される。
［３］嵌入装着される管の長さが３種類であるので、投入されるゴミの大きさに関係なくどのような形状のゴミでも有効に処理することが可能である。
［４］最下段に嵌入装着される管は長い管であるので最後にのこったゴミも残さずに処理することが出来る。
［５］プラズマ効果を上げるために、バルブを開栓することによりゴミ処理装置内に充分な空気を吸入することができ、かつ、空気吸入口の周囲に配合岩石を配置してあるので、プラズマ効果をより上げることが出来る。
［６］磁鋼鉱石とネオジュームとトルマリン鉱石と紫蘭鉱石とからなる配合岩石を使用しているので、プラズマ効果が効率よく生じる上に、配合岩石を容易に入手することが可能である。
【図面の簡単な説明】
【０００４】
第１図は、本発明のゴミ処理装置の斜視図である。
第２図（ａ），（ｂ）は、本発明のゴミ処理装置の正面図と側面図である。
第３図（ａ），（ｂ）は、本発明の直方体の処理機本体の横側面の中板の平面図と奥行側面の中板の平面図である。
第４図の（ａ）は管の基部とバルブと配合岩石の平面図であり、（ｂ）は中間の長さの管、（ｃ）は長い管、（ｄ）は短い管、（ｅ）は長い管の変形例の断面図である。
【発明を実施するための最良の形態】
【０００５】
以下に本発明に係るゴミ処理装置を図面に示す実施形態にしたがって詳細に説明する。
第１図は本発明のゴミ処理装置の斜視図であり、第２図（ａ），（ｂ）は本発明のゴミ処理装置の正面図と側面図である。第３図（ａ），（ｂ）は本発明の直方体の処理機本体の横側面の中板の平面図と奥行側面の中板の平面図あり、第４図（ａ）は管の基部とバルブと配合岩石の平面図であり、（ｂ）は中間の長さの管、（ｃ）は長い管、（ｄ）は短い管、（ｅ）は長い管の変形例の断面図である。
第１図に示すように、本発明にかかるゴミ処理装置１０は、ゴミ処理機本体２０と、管４０と、バルブ５０と、配合岩石６０とからなる。
このゴミ処理装置１０は、ゴミ処理機本体２０の上部のゴミ投入口２２から処理するゴミ（廃棄物）を投入し、ゴミ処理機本体の側面に設けられた加熱物投入用の開口から点火してプラズマを活性化させ、時期を見て管４０の基部４０Ａのバルブ５０を開栓操作して、磁場を生じる配合岩石６０に触れた空気をゴミ処理機本体内に導入することにより、ゴミを炭化処理する構成である。
ゴミ処理機本体２０は、直方体の箱体からなり、底面３０は磁場を生じる配合岩石で構成されている。ゴミ処理機本体２０の上部にはゴミ投入口２２が設けられており、ゴミ投入口２２にはシャッター２４が装備されている。処理されるゴミは、上部からゴミ処理機本体２０内に投入され、蓋がされる。
ゴミ処理機本体２０の側壁は２重壁構造になっている。側壁の内側には、中板２８が設けられており、中板２８の表面には多数の小孔２６が穿設されている。これは、高温を発するゴミ処理機本体２０の熱効率を上げるため、および側壁に直接熱気が触れて外壁が過剰に加熱されることを防ぐための空気層の介在であり、空気の通りを良くすると同時に外壁の冷却を目的としている。
ゴミ処理の方法はあくまでも焼却ではなく、磁場から生じるプラズマによって加熱滅却することによりゴミを炭化して滅却処理する方式である。
ゴミ処理機本体２０は、底面３０が磁場を生じる配合岩石から構成され、側面の最下部の一箇所の底部付近には、加熱物投入用の開口３４が設けられている。ゴミ投入後、この開口３４より加熱物が投入される。この熱により、ゴミ処理機本体２０の内部に熱が加わり、底面３０を構成する配合岩石から生じるプラズマが活性化しつつ、さらに加熱を繰り返すことになる。また、外部から後述する配合岩石６０を通過した空気が導入されるので、ゴミ処理機本体２０内はより一層の加熱が促進される。
本実施形態で投入される加熱物は、半田ゴテのような電気による発熱を前提とした加熱体であるが、投入する加熱体は、これに限定されるものではない。ただし、燃焼させて焼却するのではないので、可燃物である必要はなく、加熱した鉄等であっても同様の効果を生じる。
ゴミ処理機本体２０の周側面２０Ａには複数の管挿入孔３２が穿設されており、該挿入孔３２の全ての孔から中空のゴミ処理機本体２０の内部に向けて管４０が挿入され、その挿入状態で固着されて嵌入装着されている。
嵌入装着される管４０は、その先端の開口を管軸方向に対して斜め４５度に切り落した形状であり、先端が尖った三角形状に形成されている。嵌入装着される管４０の数は、ゴミ処理機本体２０の大きさにより様々であるが、本実施形態では短管１１２本、中管３３０本、長管１６本が装着されている。
この管４０は、ゴミ処理機本体２０の側壁外部からゴミ処理機本体２０の側面に刺さるように嵌入しているもので、側壁外部にある管４０の基部４０Ａには栓を開閉するバルブ５０が設けられている。
管４０は、外部の空気をゴミ処理機本体２０内に導入するための通路であり、ゴミ処理機本体２０が加熱するのに伴って、ゴミ処理機本体２０の内部で対流が生じ、外部からの空気の流入が可能となる。そこで、バルブ５０を開栓すると外気がゴミ処理機本体２０内に吸い込まれる。
また、複数の管４０のうち最下段に配された管の基部４０Ａのバルブ５０の先（空気吸入口側）には、吸い込まれる空気に磁気を付与させるように、配合岩石６０が空気の通過する経路を囲むように配置されている。これにより、ゴミ処理機本体２０内に導入される空気も配合岩石６０の磁力を帯びて加熱効果を促進させる。
なお、本実施形態では、最下段に配された管４０の基部４０Ａのバルブ５０の先に、配合岩石６０を備えたとしたが、本発明はこれに限定されるものではなく、例えば、ゴミ処理機本体２０の周側面２０Ａに穿設された複数の管挿入孔３２に嵌入装着される全ての管４０の基部４０Ａに、磁場を生じる配合岩石６０を備えるようにしてもよい。
また、本実施形態では、複数の管４０は、ゴミ処理機本体２０の下半分に嵌入装着されているが、管４０の装着場所は、本実施形態に限定されるものではない。
管挿入孔３２に嵌入装着される複数の管４０は、本実施形態では３種類の長さの異なる同一径の管から構成されており、３種類のうち最も短い長さを有する短管が上段に配設され、３種類のうち最も長い長さを有する長管が下段に配設され、かつ、３種類のうち中程度の長さを有する中管が、上段と下段との間の中段に配設される。これらの管の太さは同一径である必要はなく、長さも３種類に設定した本実施形態の種類に限定されるものではない。
最下段に配設される長管４０は、先端の開口部分の切り口が少し下向きに傾斜していることが望ましく、管４０の底面には１ｃｍ間隔で３つの孔が穿設されている。これにより、プラズマの発生をより促進させることが出来る。
ゴミ処理機本体２０の底面３０は、上記管４０の基部４０Ａの空気通路に配設されていた配合岩石６０と同様、磁場を生じる配合岩石で形成されている。なお、これらの配合岩石は、配合割合等が正確に同一である必要はない。
この配合岩石からなる底面３０の上には、多数の円形孔の穿設された鉄製の底盤３６が敷設されている。これは、滅却処理が隅々まで効果的に処理できるように工夫したものである。
ゴミ処理機本体２０の底面３０および管４０の基部４０Ａに備えられる配合岩石６０は、磁鋼鉱石と、ネオジュームと、トルマリン鉱石と、紫蘭（アメジスト）鉱石より成る群から選ばれた１種または２種以上であることが望ましい。本実施形態においては、磁鋼鉱石として宮古の石を使用している。これは遠野の石であってもよい。配合比はそれぞれの場合で自由に設定することが可能である。ただし、本実施形態においては、磁鋼鉱石としての宮古の石を６分の３（１／２）、ネオジュームを６分の１、トルマリン鉱石を６分の１、紫蘭鉱石を６分の１とする配合を用いている。
【産業上の利用可能性】
【０００６】
以上のように、本発明は、小規模なゴミ処理装置に適用することができ、ダイオキシン類の発生を抑制しつつ、効率的にゴミ（廃棄物）を処理する際に有用である。
【図１】
2007066702.tif 000003
【図２】
2007066702.tif 000004
【図３】
2007066702.tif 000005
【図４】
2007066702.tif 000006
【国際調査報告】
2007066702.tif 000007
2007066702.tif 000008